【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
複数の予測モードのうちの1つの予測モードに従って符号化されたビデオブロックの現在の係数ブロックに対して、変換の選択された集合に対する水平および垂直の変換対組合せのすべての利用可能な集合から水平および垂直の変換対組合せの集合を選択するステップであって、
水平および垂直の変換対組合せの前記選択された集合が、1つまたは複数の水平および垂直の変換対組合せを含み、
水平および垂直の変換対組合せの前記集合を選択するステップが、前記現在の係数ブロックの高さ、前記現在の係数ブロックの幅、または前記現在の係数ブロックの高さおよび幅の両方に基づくマッピングを適用するステップを含む、ステップと、
水平および垂直の変換対組合せの前記集合から水平および垂直の変換対組合せを選択するステップと、
前記選択された水平および垂直の変換対組合せから水平変換および垂直変換を選択するステップと、
現在の変換ブロックを決定するために、前記選択された水平変換および前記選択された垂直変換を使用して逆変換を前記現在の係数ブロックに適用するステップと、
前記現在の変換ブロックおよび予測ブロックに基づいて前記ビデオブロックを再構成するステップと
を含む、方法。
【請求項２】
すべての前記利用可能な水平および垂直の変換対組合せが、{DST-7, DST-7}、{DST-4, DST-4}、{DST-4, DST-7}、{DST-7, DST-4}、{DCT-8, DST-7}、{DCT-8, DST-4}、{DST-7, DCT-5}、{DCT-5, DST-7}、{DST-7, DCT-8}、{DST-4, DCT-5}、{DST-1, DST-7}、{DST-1, DST-4}、{DST-1, DCT-5}、および{DCT-5, DCT-5}の水平および垂直の変換対組合せからなり、
DSTが離散サイン変換のタイプを指し、DCTが離散コサイン変換のタイプを指す、請求項1に記載の方法。
【請求項３】
すべての前記利用可能な水平および垂直の変換対組合せが、{DST-7, DST-7}、{DST-4, DST-4}、{DST-4, DST-7}、{DST-7, DST-4}、{DCT-8, DST-7}、{DCT-8, DST-4}、{DST-7, DCT-5}、{DCT-5, DST-7}、{DST-7, DCT-8}、{DST-4, DCT-5}、{DST-1, DST-7}、{DST-1, DST-4}、{DST-1, DCT-5}、{DCT-5, DCT-5}、{DST-7, ID}、{DST-4, ID}、{DCT-8, ID}、(DCT-5, ID}、{DST-1, ID}および{ID、ID}の水平および垂直の変換対組合せからなり、
DSTが離散サイン変換のタイプを指し、DCTが離散コサイン変換のタイプを指し、IDが恒等変換を指す、請求項1に記載の方法。
【請求項４】
水平および垂直の変換対組合せの前記選択された集合から前記水平および垂直の変換対組合せを選択するステップが、
拡張型多重変換(EMT)インデックス値を決定するステップと、
前記決定されたEMTインデックス値に基づいて、水平および垂直の変換対組合せの前記選択された集合から前記水平および垂直の変換対組合せを選択するステップと
を含む、請求項1に記載の方法。
【請求項５】
水平および垂直の変換対組合せの前記集合を選択するステップが、前記複数の予測モードのうちの前記1つの予測モードが水平または垂直のイントラ予測モードに関連するしきい値内にイントラ予測モードを含むことに基づいて、水平変換または垂直変換に対する恒等(ID)変換を含む集合を選択するステップを含む、請求項1に記載の方法。
【請求項６】
前記しきい値が、前記現在の係数ブロックのサイズに基づくか、または
前記しきい値が、前記イントラ予測モードに関連する角度と前記水平または垂直のイントラ予測モードとの間の距離に基づく、請求項5に記載の方法。
【請求項７】
水平および垂直の変換対組合せの前記集合を選択するステップが、4つの水平および垂直の変換対の水平および垂直の変換対組合せの前記集合を選択するステップを含む、請求項1に記載の方法。
【請求項８】
水平および垂直の変換対組合せの前記集合を選択するステップが、前記現在の係数ブロックの高さ、前記現在の係数ブロックの幅、または前記複数の予測モードのうちの前記1つの予測モード、のうちの少なくとも1つに基づくマッピングを適用するステップを含む、請求項1に記載の方法。
【請求項９】
ビデオデータを復号するためのデバイスであって、
前記ビデオデータを記憶するように構成されたメモリと、
1つまたは複数のプロセッサと
を備え、前記1つまたは複数のプロセッサが、
複数の予測モードのうちの1つの予測モードに従って符号化された前記ビデオデータのビデオブロックの現在の係数ブロックに対して、変換の選択された集合に対する水平および垂直の変換対組合せのすべての利用可能な集合から水平および垂直の変換対組合せの集合を選択することであって、
水平および垂直の変換対組合せの前記選択された集合が、1つまたは複数の水平および垂直の変換対組合せを含み、
水平および垂直の変換対組合せの前記集合を選択するステップが、前記現在の係数ブロックの高さ、前記現在の係数ブロックの幅、または前記現在の係数ブロックの高さおよび幅の両方に基づくマッピングを適用するステップを含む、選択することと、
水平および垂直の変換対組合せの前記集合から水平および垂直の変換対組合せを選択することと、
前記選択された水平および垂直の変換対組合せから水平変換および垂直変換を選択することと、
現在の変換ブロックを決定するために、前記選択された水平変換および前記選択された垂直変換を使用して逆変換を前記現在の係数ブロックに適用することと、
前記現在の変換ブロックおよび予測ブロックに基づいて前記ビデオブロックを再構成することと
を行うように構成される、デバイス。
【請求項１０】
すべての前記利用可能な水平および垂直の変換対組合せが、{DST-7, DST-7}、{DST-4, DST-4}、{DST-4, DST-7}、{DST-7, DST-4}、{DCT-8, DST-7}、{DCT-8, DST-4}、{DST-7, DCT-5}、{DCT-5, DST-7}、{DST-7, DCT-8}、{DST-4, DCT-5}、{DST-1, DST-7}、{DST-1, DST-4}、{DST-1, DCT-5}、および{DCT-5, DCT-5}の水平および垂直の変換対組合せからなり、
DSTが離散サイン変換のタイプを指し、DCTが離散コサイン変換のタイプを指す、請求項9に記載のデバイス。
【請求項１１】
すべての前記利用可能な水平および垂直の変換対組合せが、{DST-7, DST-7}、{DST-4, DST-4}、{DST-4, DST-7}、{DST-7, DST-4}、{DCT-8, DST-7}、{DCT-8, DST-4}、{DST-7, DCT-5}、{DCT-5, DST-7}、{DST-7, DCT-8}、{DST-4, DCT-5}、{DST-1, DST-7}、{DST-1, DST-4}、{DST-1, DCT-5}、{DCT-5, DCT-5}、{DST-7, ID}、{DST-4, ID}、{DCT-8, ID}、{DCT-5, ID}、{DST-1, ID}および{ID、ID}の水平および垂直の変換対組合せからなり、
DSTが離散サイン変換のタイプを指し、DCTが離散コサイン変換のタイプを指し、IDが恒等変換を指す、請求項9に記載のデバイス。
【請求項１２】
水平および垂直の変換対組合せの前記選択された集合から前記水平および垂直の変換対組合せを選択するように構成された前記1つまたは複数のプロセッサが、
拡張型多重変換(EMT)インデックス値を決定することと、
前記決定されたEMTインデックス値に基づいて、水平および垂直の変換対組合せの前記選択された集合から前記水平および垂直の変換対組合せを選択することと
を行うように構成された前記1つまたは複数のプロセッサを備える、請求項9に記載のデバイス。
【請求項１３】
水平および垂直の変換対組合せの前記集合を選択するように構成された前記1つまたは複数のプロセッサが、前記複数の予測モードのうちの前記1つの予測モードが水平または垂直のイントラ予測モードに関連するしきい値内にイントラ予測モードを含むことに基づいて、水平変換または垂直変換に対する恒等(ID)変換を含む集合を選択するように構成された前記1つまたは複数のプロセッサを備える、請求項9に記載のデバイス。
【請求項１４】
前記しきい値が、前記現在の係数ブロックのサイズに基づくか、または
前記しきい値が、前記イントラ予測モードに関連する角度と前記水平または垂直のイントラ予測モードとの間の距離に基づく、請求項13に記載のデバイス。
【請求項１５】
命令を記憶するコンピュータ可読記録媒体であって、前記命令が、1つまたは複数のプロセッサによって実行されたとき、前記1つまたは複数のプロセッサに、請求項1乃至8のいずれか1項に記載の方法を実行させる、コンピュータ可読記録媒体。